(57)【要約】【課題】給水タンクの抜き出し時に漏れ出した水を残さないよう処理できる給水タンクユニットを提供すること。【解決手段】蒸気発生機能付き高周波加熱装置に取り付けられ、給水タンクを着脱自在に保持する給水タンクユニットであって、一側面に給水口５５を設けた給水タンク１７と、給水タンク１７の挿入動作に伴って給水口５５と接続される取水口５９、及び取水口５９近傍の底部を穿設して弾性係止片の周囲に形成された水抜き孔６０を有し、給水タンク１７を支持するタンクケース扉部材３１と、水抜き孔６０の下方にスポンジとを備える。【選択図】    図６
2004340482.tif 000002
【特許請求の範囲】
【請求項１】
蒸気発生機能を有する加熱装置に取り付けられ、給水タンクを着脱自在に保持する給水タンクユニットであって、
給水タンクの挿入動作に伴って給水用接続口と接続される注水用接続口、及び該注水用接続口近傍の底部に穿設された水抜き孔を有し、挿入された給水タンクを支持するタンク支持部材と、
前記タンク支持部材の水抜き孔下方に設けた吸水手段とを備えたことを特徴とする給水タンクユニット。
【請求項２】
前記タンク支持部材の底部に、前記水抜き孔を囲んで前記底部から立設した水溜壁を備えたことを特徴とする請求項１記載の給水タンクユニット。
【請求項３】
前記水溜壁が、その一部に前記給水タンクの挿入方向に対して平行な直状壁部を有し、
前記給水タンクが、前記タンク支持部材への挿入時に前記直状壁部と摺接するガイドをタンク底部に形成してなることを特徴とする請求項２記載の給水タンクユニット。
【請求項４】
前記給水タンクの一部のタンク底部に、該給水タンクを前記タンク支持部材に保持させたときに前記タンク支持部材の水溜壁及び該水溜壁内の底部と前記給水タンクのタンク底部とを非接触にさせる空間を画成する底上げ部を形成したことを特徴とする請求項２又は請求項３記載の給水タンクユニット。
【請求項５】
前記タンク支持部材が、該タンク支持部材へ挿入される給水タンクと係合して該給水タンクをロックする突起部の形成された弾性係止片を底部に備え、
前記弾性係止片が、前記タンク支持部材の底部で該弾性係止片の基部をのぞく周囲に抜き孔を穿設して形成され、且つ、前記抜き孔が前記水抜き孔となることを特徴とする請求項１〜４のいずれか１項記載の給水タンクユニット。
【発明の詳細な説明】
【０００１】
【発明の属する技術分野】
本発明は、蒸気発生機能を有する加熱装置に取り付けられ、給水タンクを着脱自在に保持する給水タンクユニットに関する。
【０００２】
【従来の技術】
被加熱物を収容する加熱室内に高周波を出力する高周波発生手段を備えた高周波加熱装置は、加熱室内の被加熱物に対して、短時間で効率のよい加熱ができるため、食材等の加熱調理機器である電子レンジとして急速に普及した。
しかし、高周波加熱による加熱だけでは、加熱調理の幅が限られるなどの不便があった。
そこで、加熱室内で発熱する電熱器を追加して、オーブン加熱を可能にした高周波加熱装置が提案され、近年では、更に、加熱室内に加熱蒸気を供給する蒸気供給機構を追加して、高温蒸気による加熱調理も可能にした蒸気発生機能付き高周波加熱装置が提案されている（例えば、特許文献１参照）。
【０００３】
【特許文献１】
特開昭５４−１１５４４８号公報
【０００４】
【発明が解決しようとする課題】
蒸気発生機能付き高周波加熱装置の蒸気供給機構は、タンク支持部材を介して装置本体に着脱可能に装備される給水タンクと、加熱室内に装備される給水受け皿と、この給水受け皿を加熱して給水受け皿上の水を蒸発させる加熱手段とを備え、水は、給水タンクに設けられた給水口を加熱装置側の取水口に差し込み、この取水口に接続された給水管を通して水受け皿に供給される。ところが、給水タンクをタンク支持部材から抜き出す際、給水タンクの給水口が加熱装置側の取水口から離れるとき、給水管路の圧力のため、若干の水が取水口等に滴ることがある。この滴り出した水が給水タンクを収容する加熱装置側の部材内に溜まり、加熱装置内の電源部等の回路領域に入り込んで影響を及ぼす虞があった。また、給水タンクを収容する部材内に漏れた水が給水タンクの底面に付着すると、給水タンクから漏水していると使用者に誤解される恐れがある。
【０００５】
本発明は、上記従来の事情に鑑みてなされたものであって、給水タンクの抜き出し時に漏れ出した水を残さないよう処理できる給水タンクユニットを提供することを目的としている。
【０００６】
【課題を解決するための手段】
上記目的を達成するために、本発明に係る給水タンクユニットは、蒸気発生機能を有する加熱装置に取り付けられ、給水タンクを着脱自在に保持する給水タンクユニットであって、給水タンクの挿入動作に伴って給水用接続口と接続される注水用接続口、及び該注水用接続口近傍の底部に穿設された水抜き孔を有し、挿入された給水タンクを支持するタンク支持部材と、前記タンク支持部材の水抜き孔下方に設けた吸水手段とを備えたことを特徴とする。
【０００７】
このため、給水用接続口または注水用接続口から漏れ出した水は、水抜き孔を通ってタンク支持部材から抜け、吸水手段によって吸収される。したがって、タンク支持部材内に水が漏れ出した場合であっても、水を残さないよう処理できる。結果として、給水タンクから漏水していると誤解されることがない。
【０００８】
また、本発明に係る給水タンクユニットは、前記タンク支持部材の底部に、前記水抜き孔を囲んで前記底部から立設した水溜壁を備えたことを特徴とする。したがって、タンク支持部材内に漏れ出した水は水溜壁によって堰き止められるため、タンク支持部材底部の、水溜壁で囲まれた領域外に水が流れることがないように水を処理できる。
【０００９】
また、本発明に係る給水タンクユニットは、前記水溜壁が、その一部に前記給水タンクの挿入方向に対して平行な直状壁部を有し、前記給水タンクが、前記タンク支持部材への挿入時に前記直状壁部と摺接するガイドをタンク底部に形成してなることを特徴とする。このため、給水タンク底部のガイドをタンク支持部材の直状壁部に摺接して給水タンクをタンク支持部材に挿入できるため、給水タンクは、正確な位置に保持される。
【００１０】
また、本発明に係る給水タンクユニットは、前記給水タンクの一部のタンク底部に、該給水タンクを前記タンク支持部材に保持させたときに前記タンク支持部材の水溜壁及び該水溜壁内の底部と前記給水タンクのタンク底部とを非接触にさせる空間を画成する底上げ部を形成したことを特徴とする。このため、水溜壁や水溜壁内の底部に水が付着している場合であっても、この水はタンク底部に付着することはないため、水がタンク底部を伝って水溜壁の外に漏れ出すことを防止できる。
【００１１】
さらに、本発明に係る給水タンクユニットは、前記タンク支持部材が、該タンク支持部材へ挿入される給水タンクと係合して該給水タンクをロックする突起部の形成された弾性係止片を底部に備え、前記弾性係止片が、前記タンク支持部材の底部で該弾性係止片の基部をのぞく周囲に抜き孔を穿設して形成され、且つ、前記抜き孔が前記水抜き孔となることを特徴とする。したがって、給水タンクは突起部によって確実にタンク支持部材に保持される。また、タンク支持部材内に漏れ出した水は弾性係止片周囲の抜き孔から抜け落ちて給水手段に吸水されるようになるため新たに水抜き孔を形成するための手間やコストを省くことができる。
【００１２】
【発明の実施の形態】
以下、添付図面に基づいて本発明の給水タンク構造の一実施の形態について詳細に説明する。
なお、ここでは、給水タンクユニットを備えた蒸気発生機能を有する加熱装置として、蒸気発生機能付き高周波加熱装置を例にとって説明する。
図１は本発明に係る蒸気発生機能付き高周波加熱装置の外観斜視図、図２は蒸気発生機能付き高周波加熱装置の開閉扉を開けた状態を示す概略的な正面図である。
本発明は、図１に示すように、高周波加熱装置１００に蒸気発生機能を持たせるため、蒸気発生部へ水供給を行う給水タンクが収容された給水タンクユニットを高周波加熱装置１００の側面に配設しており、この給水タンクユニットから給水タンクユニットの抜き出し時に生じる水漏れを、高周波加熱装置１００側への影響がないようにした構成に特徴を有している。まず、加熱装置としての高周波加熱装置１００の基本的な構成とその作用から説明する。
【００１３】
本高周波加熱装置１００は、図１及び図２に示すように、食材等の被加熱物を収容する加熱室３に、高周波（マイクロ波）と蒸気との少なくともいずれかを供給して被加熱物を加熱処理する加熱調理器であって、食材等の被加熱物を収容する加熱室３内に高周波を出力するマグネトロン５と、加熱室３内で蒸気を発生する蒸気発生部７と、蒸気発生部７への給水路に接続された着脱自在な給水タンク１７とを備えている。
【００１４】
加熱室３は、前面開放の箱形の本体ケース１０内部に形成されており、本体ケース１０の前面に、加熱室３の被加熱物取出口を開閉する透光窓１３ａ付きの開閉扉１３が設けられている。
【００１５】
マグネトロン５は、加熱室３の下側の空間に配置されており、このマグネトロン５から発生した高周波を受ける位置にはスタラー羽根４７が設けられている。そして、マグネトロン５からの高周波を、回転するスタラー羽根４７に照射することにより、該スタラー羽根４７によって高周波を加熱室３内に撹拌しながら供給するようになっている。
【００１６】
蒸気発生部７は、加熱により蒸気を発生する水溜凹所を有した蒸発皿２５を備えている。この蒸発皿２５の下方には、図示は省略するが、蒸発皿２５を加熱するための蒸発皿加熱ヒータが配設されている。蒸発皿２５は、例えばステンレス板からなる細長皿状のものや、蒸発皿加熱ヒータと一体にダイカスト成形され上面に水溜凹部の形成されたアルミブロック等であってもよい。また、図２には蒸発皿２５が１つ記載されているが、蒸発皿を複数設けてもよい。
【００１７】
ここで、図３に高周波加熱装置１００から給水タンク１７を取り出す手順を示した。図３（ａ）に示すように、高周波加熱装置１００の側面の手前側に設けられた押しボタン４１を高周波加熱装置１００の内側方向へ押下することで、図３（ｂ）に示すように、タンクケース扉部材３１とこれに載置された給水タンク１７が高周波加熱装置１００の側面から外方へ開く。なお、タンクケース扉部材３１は、特許請求の範囲のタンク支持部材に該当する。そして、図３（ｃ）に示すように、給水タンク１７を高周波加熱装置１００の正面側へ引き出すことで給水タンク１７が取り出される。
【００１８】
また、給水タンク１７を収容する場合は、上記手順と反対に、給水タンク１７を奥まで挿入し、タンクケース扉部材３１を押し戻す。
【００１９】
上記高周波加熱装置１００に着脱自在に給水タンク１７を配設する給水タンクユニット２０の構造について以下に説明する。
図４に高周波加熱装置の側面に給水タンクを配設する給水タンクユニットの分解斜視図、図５に給水タンクの拡大斜視図、図６に給水タンクユニットの詳細構造を説明する給水タンクユニットの概略分解斜視図、図７に給水口と取水口との連結部の説明図、図８にタンクケース扉部材に給水タンクを挿入した状態の断面図、図９にタンクケース扉部材の底部拡大図、図１０に給水タンクの装着時における給水タンクとガイド壁と取水口との位置関係を示す説明図を示した。
【００２０】
本高周波加熱装置１００の側面には、図４に示すように、加熱室内側の側壁板から高周波加熱装置１００の外方へ所定の空間を空けて側面断熱板２５が固設されており、この側面断熱板２５にタンクケース本体２７を、側面断熱板２５に対して所定の空間を空けて設けている。
【００２１】
このタンクケース本体２７には、タンクケース扉部材３１の一方の側部が支持軸を中心として開閉自在に軸支されている。また、タンクケース本体２７とタンクケース扉部材３１との間には、給水タンク１７がタンクケース扉部材３１に載置されて収容される。タンクケース本体２７の底面部の所定の位置には、吸水手段としてのスポンジ１が貼設されている。スポンジ１の貼設位置については後述する。そして、タンクケース扉部材３１の外側にはカバー１２が取り付けられる。
【００２２】
次に、給水タンク１７及びタンクケース扉部材３１について詳細に説明する。
給水タンク１７は、扁平な直方体形状であって、図５に示すように、タンク本体５１と、特許請求の範囲の給水用接続口に該当する給水口５５と、タンク本体５１に脱着自在なタンク蓋体５７とを有してなる。また、給水タンク１７は、給水口５５近傍の底部の一部に、底上げ部５４を有する。また、給水タンク１７のタンク蓋体５７の側面の一部は、タンクケース扉部材３１のガイド壁６５ａに当接して給水タンク１７を収納空間Ｓ内の所定の保持位置へガイドする機能を有する。
【００２３】
この給水タンク１７は、図６に示すように、タンクケース扉部材３１に挿入することにより、給水口５５がタンクケース扉部材３１の取水口５９に接続される。なお、取水口５９は、特許請求の範囲の注水用接続口に該当する。そして、この状態で、給水タンク１７内の水は、給水口５５から給水路を介して給水路の終端に設けた蒸発皿２５（図２参照）へ送り込まれる。
【００２４】
ここで、給水口５５と取水口５９とが嵌合する動作について説明する。
取水口５９の基端配管部２９ａは、図７（ａ）に示すように、タンク本体５１の給水口５５が嵌合する取水口５９の基端円管部４３に、タンク本体５１が取り外された際の漏水を防止するための管側の止水弁４５が装備される。図７（ａ）に示した状態は、タンク本体５１の給水口５５が基端円管部４３に未嵌合の状態で、未だ、タンク側の止水弁３３及び管側の止水弁４５の双方が流路を閉じた状態にある。
【００２５】
タンク側の止水弁３３と管側の止水弁４５とは、それぞれ弁体３３ａ，４５ａを付勢するばね３３ｂ，４５ｂの向きが逆で、タンク本体５１の給水口５５を基端円管部４３に適正に嵌合させると、図７（ｂ）に示すように、両者の弁体３３ａ，４５ａ相互の先端部同士が互いに突き当たって、相手をばね３３ｂ，４５ｂの付勢力に抗して変位させて、流路を開いた状態にする。なお、タンク本体５１の給水口５５の外周部には、基端円管部４３との間の隙間を塞ぐシール材としてのＯリング４９が装備されている。
【００２６】
一方、この給水タンク１７が挿入されて装着されるタンクケース扉部材３１は、図６に示すように、収納空間Ｓを形成する上面部６５、側面部６８、及び底面部６７を有し、上面部６５及び底面部６７には、給水タンク１７の側面側に当接して給水タンク１７の着脱動作をガイドするガイド壁６５ａ、６７ａを給水タンク１７の装着方向に沿って設けてある。また、タンクケース扉部材３１は、給水タンク１７の挿入動作に伴って給水口５５と接続される取水口５９と、取水口５９の接続端部近傍の底部に穿設された水抜き孔６０と、水抜き孔６０を囲んで底部から立設した堰き止めリブ６１とを有してなる。この堰き止めリブ６１の底面部６７からの突出高さｈ（図８参照）は、滴下した水を確実に堰き止める高さに設定される。本実施形態ではこの突出高さｈを約３ｍｍとしている。また、堰き止めリブ６１は、側面部６８からガイド壁６７ａにわたって連続的に立設され、その中間部では略コ字形に形成されている。このため、水抜き孔６０付近の底面部６７の領域は、該堰き止めリブ６１と、側面部６８と、ガイド壁６７ａと、取水口５９を有する側壁とによって完全に囲まれることとなる。なお、堰き止めリブ６１、側面部６８、ガイド壁６７ａおよび取水口５９を有する側壁は、水溜壁を構成する。また、堰き止めリブ６１は、その一部が給水タンク１７の挿入方向、すなわち、ガイド壁６７ａ及び側面部６８と平行をなす、直状壁部６１ａ，６１ｂを有している。
【００２７】
タンクケース扉部材３１の底面部６７には、図８に示すように、給水タンク１７の収納空間Ｓにおける所定の保持位置への着脱過程で、互いに乗り越えて係止される突起６９が形成された弾性係止片６３を有する。突起６９は、特許請求の範囲の突起部に該当する。弾性係止片６３は、底面部６７で、該弾性係止片６３の基部を除く周囲に溝を穿設して形成され、この溝が、水抜き孔６０として利用される。給水タンク１７のタンクケース扉部材３１への装着状態では、タンクケース扉部材３１の底面部６７と、タンク本体５１の底上げ部５４における底部との離間高さＨは、堰き止めリブ６１の頂部に水が付着した場合でも水との接触がない高さに設定される。本実施形態ではこの離間高さＨを約５ｍｍとしている。従って、Ｈ−ｈの高さ分の空間（本実施形態では約２ｍｍ）の存在により、給水口５５または取水口５９から流れ出た水が、堰き止めリブ６１や堰き止めリブ６１に囲まれた底面部６７に付着していても、この水がタンク本体５１の底部に付着することはない。
【００２８】
すなわち、給水タンク１７がタンクケース扉部材３１から抜き出される際、図９に示すように、給水口５５と取水口５９との接続部分に残存する少量の水が流れ出てくる場合がある。このとき、取水口５９または給水口５５から流れ出た水滴は、弾性係止片６３の周囲の水抜き孔６０を通り、タンクケース本体２７底部の所定位置に貼設されたスポンジ１に吸水される。スポンジ１は、タンクケース本体２７底部の、タンクケース扉部材３１を閉状態にしたとき水抜き孔６０の直下となる位置に貼設されている。なお、取水口５９または給水口５５から流れ出た水は、堰き止めリブ６１及び側面部６８、ガイド壁６７ａ、取水口５９を有する側壁に堰き止められるため、常に、水抜き孔６０を通ってタンクケース扉部材３１の外へ流れ、スポンジ１に吸収されることとなる。すなわち、水は、堰き止めリブ６１によって堰き止められるため、底面部６７の堰き止めリブ６１で仕切られた領域外に広がることはない。また、スポンジ１に吸収された水は、高周波加熱装置１００が動作時に発する熱によって蒸発する。なお、スポンジの代わりに、吸水性に優れた不織布を用いてもよい。なお、水抜き孔６０は、取水口５９の接続端部直下の底部に穿設されてもよい。
【００２９】
また、底上げ部５４は、図６及び図８に示すように、給水タンク１７をタンクケース扉部材３１に保持させたときに、タンクケース扉部材３１の堰き止めリブ６１および堰き止めリブ６１に囲まれたタンクケース扉部材３１の底面部と給水タンク１７の底部とを非接触にさせる空間を画成する。また、底上げ部５４には、図５に示すように、給水タンク１７のタンクケース扉部材３１への装着時に給水タンク１７をロックするための突起５４ａがタンク底面から下方へ突出させて形成されている。この底上げ部５４により、給水口５５または取水口５９から流れ出た水が、堰き止めリブ６１や堰き止めリブ６１に囲まれた底面部６７に付着していても、この水がタンク本体５１の底部に付着することはない。また、底上げ部５４は、図５に示すように、一部を外部に突出させた突起５４ａを有する。さらに、給水タンク１７は、給水口５５を有する面の近傍から長手方向に底部の両縁を突設させた底リブ５２ａ，５２ｂを有する。
【００３０】
次に、給水タンク１７をタンクケース扉部材３１の所定の保持位置へ装着する動作について詳細に説明する。
図１０（ａ）に示すように、給水タンク１７をタンクケース扉部材３１の底面部６７の上に載置した状態から挿入すると、給水タンク１７は、タンク本体５１側面の挿入方向前方に設けられたガイド用リブ５１ａ、５１ｂと、タンクケース扉部材３１の側面部６８とが摺接して位置決めされる。すなわち、給水タンク１７は、挿入動作に伴ってタンクケース扉部材３１の所定の位置にガイドされることとなる。さらに給水タンク１７を取水口５９に向けて押し込むと、図１０（ｂ）に示すように、タンクケース扉部材３１の底面部６７に立設した堰き止めリブ６１の直状壁部６１ａ、６１ｂの外側壁面と、吸水タンク１７の底リブ５２ａ，５２ｂの内側壁面とが互いに当接し合い、給水タンク１７の位置が規制されながら摺動する。
【００３１】
その後、図１０（ｃ）に示すように、タンク本体５１の底上げ部５４に設けた突起５４ａが、タンクケース扉部材３１の底面部６７に設けた突起６９に当接する位置で挿入抵抗が増加し、一旦挿入動作が差し止められる。この状態から、さらに給水タンク１７を取水口５９に向けて押し込むと、図１０（ｄ）に示すように、弾性係止片６３の弾性変形により突起６９と５４ａとが互いに乗り越えて、しかも、後戻りできないようにそれぞれの突起６９，５４ａの平坦な後端面同士で係合する。この突起６９，５４ａが乗り越える際、即ち、図１０（ｃ）の状態から（ｄ）の状態になるときに、クリック感が発生し、給水口５５と取水口５９とが嵌合し、給水タンク１７が確実に所定の保持位置に装着される。なお、タンクケース扉部材３１に対して給水タンク１７を装着することで、給水タンク１７がタンクケース扉部材３１の補強体となり、タンクケース扉部材３１単体の状態では剛性が低く、扉を押すことで閉まりにくい箇所（特に端部６６（図６参照））でも閉まりやすくなる。
【００３２】
以上に説明した蒸気発生機能付き高周波加熱装置１００においては、給水口５５または取水口５９から漏れた水は、堰き止めリブ６１によって堰き止められるため、底面部６７の堰き止めリブ６１で仕切られた領域外に広がることなく、水抜き孔６０から抜け落ちて、タンクケース本体２７に貼設されたスポンジ１に吸収される。したがって、タンクケース扉部材３１内に水を残さないよう処理できる。結果として、給水タンク１７から漏水していると誤解されることがない。
【００３３】
また、本実施形態の蒸気発生機能付き高周波加熱装置１００は、給水タンク１７の底部に底上げ部５４を有し、給水タンク１７をタンクケース扉部材３１へ装着した状態で、タンクケース扉部材３１の堰き止めリブ６１の頂部と該底上げ部５４における底部との離間高さは、堰き止めリブ６１の頂部に水が付着した場合でも水との接触がない高さに設定される。したがって、給水口５５または取水口５９から流れ出た水が、堰き止めリブ６１や堰き止めリブ６１に囲まれた底面部６７に付着していても、この水がタンク本体５１の底部に付着することはないため、水がタンク底部を伝って堰き止めリブ６１の外に漏れ出すことを防止できる。
【００３４】
また、給水タンク１７の底リブ５２ａ，５２ｂがタンクケース扉部材３１の直状壁部６１ａ，６１ｂ及び側面部６８，ガイド壁６７ａと摺接してタンクケース扉部材３１に挿入され、さらに、タンクケース扉部材３１の突起６９と給水タンク１７の突起５４ａとが係合するため、給水タンク１７は、正確な保持位置に確実に装着される。
【００３５】
また、タンクケース扉部材３１内に漏れた水は、弾性係止片６３を形成する水抜き孔６０から抜けるため、新たな水抜き孔を形成するための手間やコストを省くことができる。
【００３６】
【発明の効果】
以上説明したように、本発明に係る給水タンクユニットによれば、給水タンクの抜き出し時に漏れ出した水を残さないよう処理できる。
【図面の簡単な説明】
【図１】本発明に係る蒸気発生機能付き高周波加熱装置の外観斜視図である。
【図２】蒸気発生機能付き高周波加熱装置の開閉扉を開けた状態を示す概略的な正面図である。
【図３】蒸気発生機能付き高周波加熱装置から給水タンクを取り出す手順の説明図である。
【図４】高周波加熱装置の側面に給水タンクを配設する給水タンクユニットの分解斜視図である。
【図５】給水タンクの拡大斜視図である。
【図６】給水タンクユニットの詳細構造を説明する給水タンクユニットの概略分解斜視図である。
【図７】給水口と取水口との連結部の説明図である。
【図８】タンクケース扉部材に給水タンクを挿入した状態の断面図である。
【図９】タンクケース扉部材の底部拡大図である。
【図１０】給水タンクの装着時における給水タンクとガイド壁と取水口との位置関係を示す説明図である。
【符号の説明】
１００  高周波加熱装置
１７  給水タンク
２０  給水タンクユニット
７  蒸気発生部
２５  蒸発皿
１  スポンジ
３５  操作部材
２７  タンクケース本体
２５  側面断熱板
５１  タンク本体
５７  タンク蓋体
５５  給水口
５４  底上げ部
５４ａ，６９  突起
５２ａ，５２ｂ  底リブ
５９  取水口
６１  堰き止めリブ
６５  上面部
６５ａ，６７ａ  ガイド壁
６０  水抜き孔
６３  弾性係止片
６１ａ，６１ｂ  直状壁部
６６  端部
６７  底面部
６８  側面部
３１ａ，３１ｂ  側壁
５１ａ，５１ｂ  ガイド用リブ
３３，４５  止水弁
３３ａ，４５ａ  弁体
３３ｂ，４５ｂ  ばね
４９  Ｏリング
４３  基端円管部
Ｓ  収納空間
【図１】
2004340482.tif 000003
【図２】
2004340482.tif 000004
【図３】
2004340482.tif 000005
【図４】
2004340482.tif 000006
【図５】
2004340482.tif 000007
【図６】
2004340482.tif 000008
【図７】
2004340482.tif 000009
【図８】
2004340482.tif 000010
【図９】
2004340482.tif 000011
【図１０】
2004340482.tif 000012